(57)【要約】【課題】小さなリブ部を設けるだけで細い電線束から太い電線束まで蛇行配索できるプロテクタを提供する。【解決手段】底壁２ａと両側の側壁２ｂに囲まれた分岐電線収容室６を有するプロテクタ本体２と、プロテクタ本体２に固定され、分岐電線収容室６が開口する上面を塞ぐ蓋体とを備え、プロテクタ本体２の底壁２ａに分岐電線収容室６の電線配索方向に間隔をおいて複数のリブ部７が立設され、この複数のリブ部７を蛇行中心として分岐電線Ｗ２を引き回すことによって分岐電線Ｗ２が電線収容室６内に蛇行状態に配索された。【選択図】図３
2007174870.tif 000002
【特許請求の範囲】
【請求項１】
電線収容室を有するプロテクタ本体と、このプロテクタ本体に装着され、前記電線収容室が開口する上面を塞ぐ蓋体とを備えたプロテクタにおいて、
前記電線収容室の底壁に電線配索方向に間隔をおいて複数のリブ部が立設され、この複数のリブ部を蛇行中心として前記電線を引き回すことによって電線が前記電線収容室内に蛇行状態に配索されたことを特徴とするプロテクタ。
【請求項２】
請求項１記載のプロテクタであって、
前記蓋体には、前記各リブ部に対応する各位置に孔が設けられたことを特徴とするプロテクタ。
【請求項３】
請求項２記載のプロテクタであって、
前記各リブ部の高さ寸法は前記電線収容室の高さより高く設定され、前記各リブ部の先端部が前記蓋体の孔に挿入されたことを特徴とするプロテクタ。
【発明の詳細な説明】
【技術分野】
【０００１】
本発明は、内部に電線を収容して電線を保護するプロテクタに関する。
【背景技術】
【０００２】
この種の従来のプロテクタとして図１１に示すものがある（例えば特許文献１参照）。
【０００３】
このプロテクタ１００は、図１１に示すように、プロテクタ本体１０１を有し、このプロテクタ本体１０１には底壁１０１ａと両側の側壁１０１ｂ，１０１ｃに囲まれた電線収容室１０２が形成されている。両側の側壁１０１ｂ，１０１ｃには、電線配索方向に間隔をおいて交互にリブ部１０３が突設されている。この複数のリブ部１０３によって電線（電線束を含む概念）Ｗが蛇行状態に電線収容室１０２に配索されている。
【０００４】
上記構成において、電線Ｗに図１１に示すような引っ張り力Ｆが作用すると、引っ張り方向に対して傾斜する電線Ｗの蛇行箇所が各リブ部１０３に支持されているため、各リブ部１０３には電線Ｗの移動を阻止する大きな摩擦抵抗が発生する。これによって、電線Ｗがプロテクタ本体１０１に対して位置ずれしない。
【０００５】
この従来例によれば、拘束テープや拘束バンドを用いることなくプロテクタ１００に対する電線Ｗの位置ずれを防止できるという利点がある。
【特許文献１】特開２００４−１６６４５４号公報
【発明の開示】
【発明が解決しようとする課題】
【０００６】
しかしながら、前記従来例のプロテクタ１００では、電線収容室１０２に電線Ｗを蛇行状態に配索するためには、リブ部１０３の突出寸法Ｄを電線収容室１０２の幅Ｅの少なくとも半分以上（Ｄ＞（Ｅ／２））に設定する必要があった。従って、リブ部１０３は、電線収容室１０２の半分以上を仕切りような大寸法のものでなければならないという問題があった。
【０００７】
また、リブ部１０３の寸法を電線収容室１０２の幅半分より十分に大きく設定すると、太い電線を蛇行配索できず、リブ部１０３の寸法を電線収容室１０２の幅半分程度に小さく設定すると、細い電線を十分な蛇行角度で蛇行配索できない。このように従来例のリブ部１０３では細い電線から太い電線まで対応させることが難しい。
【０００８】
そこで、本発明は、前記した課題を解決すべくなされたものであり、小さなリブ部を設けるだけで細い電線から太い電線まで蛇行配索できるプロテクタを提供することを目的とする。
【課題を解決するための手段】
【０００９】
請求項１の発明は、電線収容室を有するプロテクタ本体と、このプロテクタ本体に装着され、前記電線収容室が開口する上面を塞ぐ蓋体とを備えたプロテクタにおいて、前記電線収容室の底壁に電線配索方向に間隔をおいて複数のリブ部が立設され、この複数のリブ部を蛇行中心として前記電線を引き回すことによって前記電線が前記電線収容室内に蛇行状態に配索されたことを特徴とする。
【００１０】
請求項２の発明は、請求項１記載のプロテクタであって、前記蓋体には、前記各リブ部に対応する各位置に孔が設けられたことを特徴とする。
【００１１】
請求項３の発明は、請求項２記載のプロテクタであって、前記各リブ部の高さは前記電線収容室の高さより高く設定され、前記各リブ部の先端部が前記蓋体の孔に挿入されたことを特徴とする。
【発明の効果】
【００１２】
請求項１の発明によれば、リブ部を蛇行中心点として電線を蛇行させるため、リブ部は小さな幅で足りる。そして、リブ部を電線収容室のほぼ中心に配置すれば、その両側に同じ幅の蛇行経路が形成されるため、細い電線から太い電線まで蛇行状態に配索できる。これにより、小さな寸法のリブ部で細い電線から太い電線まで対応可能である。また、リブ部の両側に蛇行スペースが形成されるため、両側の蛇行スペースを用いて自由に蛇行配索ができ、従来例に比べて蛇行配索の自由度が高い。
【００１３】
請求項２の発明によれば、リブ部の先端面と蓋体との間に電線が噛み合っているか否かを目視でチェックできるため、電線を確実に蛇行状態に配置できる。
【００１４】
請求項３の発明によれば、リブ部の先端面と蓋体との間に隙間が発生しないため、リブ部の先端面と蓋体との間に電線が噛み合うような不具合が発生することがない。また、リブ部の先端が蓋体によって保持されるため、リブ部の強度向上にもなる。
【発明を実施するための最良の形態】
【００１５】
以下、本発明の実施形態を図面に基づいて説明する。
【００１６】
図１〜図４は本発明の第１実施形態を示し、図１は蓋体が開位置にある場合のプロテクタの平面図、図２は分岐電線を蛇行配索する箇所の要部の斜視図、図３は分岐電線に引っ張り力が作用した状態を示す要部の平面図、図４は図３中Ａ−Ａ線に沿う断面図である。
【００１７】
図１及び図２に示すように、プロテクタ１Ａは、プロテクタ本体２と、このプロテクタ本体２にヒンジ部３を介して連結された蓋体４とから構成されている。プロテクタ本体２には、底壁２ａと両側の側壁２ｂ，２ｂとに囲まれてメイン電線収容室５と分岐電線収容室６とが形成されている。各分岐電線収容室６の底壁２ａには、電線配索方向に間隔をおいて複数のリブ部７が立設されている。各リブ部７は、分岐電線収容室６の幅方向のほぼ中心位置に配置されている。各リブ部７の高さ寸法Ｈ１は、図４に示すように、分岐電線収容室６の高さＨ２より若干低く設定されている。また、両側の側壁２ｂ，２ｂの外面には、係止溝８が適所に設けられている。
【００１８】
蓋体４は、ヒンジ部３を中心に回転することによってメイン電線収容室５及び分岐電線収容室６の上面を開閉できるようになっている。蓋体４の側端の適所には、係止爪９が設けられている。蓋体４をプロテクタ本体２の閉位置に位置すると各係止爪９が各係止溝８に係止して蓋体４がプロテクタ本体２に装着されるようになっている。
【００１９】
電線Ｗは、メイン電線Ｗ１と、このメイン電線Ｗ１より分岐された分岐電線Ｗ２から構成されている。メイン電線Ｗ１と分岐電線Ｗ２は、この実施形態では複数の結束された電線から構成されている。メイン電線Ｗ１はメイン電線収容室５にストレート状態に配索されている。分岐電線Ｗ２は分岐電線収容室６に複数のリブ部７によって蛇行状態に配索されている。即ち、各リブ部７と両側の側壁２ｂ，２ｂとの間には蛇行スペースが形成され、各リブ部７を蛇行中心として分岐電線Ｗ２を左右の蛇行スペースを交互に引き回すことによって分岐電線Ｗ２が配索されている。
【００２０】
上記構成において、分岐電線Ｗ２に図３に示すような引っ張り力Ｆが作用すると、引っ張り方向に対して傾斜する電線Ｗの蛇行箇所が各リブ部７に支持されているため、各リブ部７には分岐電線Ｗ２の移動を阻止する大きな摩擦抵抗が発生する。これによって、分岐電線Ｗ２がプロテクタ１Ａに対して容易には位置ずれしない。
【００２１】
ここで、リブ部７を蛇行中心点として分岐電線Ｗ２を蛇行させるため、リブ部７は小さな幅で分岐電線Ｗ２を十分な蛇行状態に配索できる。そして、リブ部７が分岐電線収容室６のほぼ中心に配置されており、その両側に同じ幅の蛇行スペースが形成されるため、細い分岐電線Ｗ２から太い分岐電線Ｗ２まで蛇行状態に配索できる。これにより、小さな寸法のリブ部７で細い電線から太い電線まで対応可能である。
【００２２】
また、各リブ部７の両側に蛇行スペースがそれぞれ形成されるため、両側の蛇行スペースを用いて自由に蛇行配索ができ、従来例に比べ蛇行配索の自由度が高い。
【００２３】
図５〜図１０は本発明の第２実施形態を示し、図５は蓋体が開位置にある場合のプロテクタの平面図、図６は分岐電線を蛇行配索する箇所の要部の斜視図、図７は分岐電線を蛇行配索する箇所の平面図、図８は図７中Ｂ−Ｂ線に沿う断面図、図９は分岐電線がリブ部と蓋体との間に噛み込まないことを説明するための断面図、図１０は第１実施形態では分岐電線がリブ部と蓋体との間に噛み込むことを説明するための断面図である。
【００２４】
この第２実施形態のプロテクタ１Ｂは、前記第１実施形態のプロテクタ１Ａと比較すると、リブ部７の高さ寸法などが相違し、異なる構成箇所のみを説明する。
【００２５】
つまり、リブ部７の高さ寸法Ｈ３は、分岐電線収容室６の高さＨ４より少し高く設定されている。具体的には、リブ部７の高さ寸法Ｈ３は、図９に示すように、設計許容誤差、組み付け許容誤差があった場合にも分岐電線収容室６の高さＨ４より高くなる高さに設定されている。
【００２６】
蓋体４には、複数のリブ部７の対応位置に孔１０がそれぞれ設けられている。尚、他の構成は、前記第１実施形態と同一であるため、図面の同一構成部分に同一符号を付してその詳細な説明を省略する。
【００２７】
この第２実施形態でも、第１実施形態と同様に、小さな寸法のリブ部７で細い電線から太い電線まで対応可能である。また、蓋体４には、各リブ部７に対応する各位置に孔１０が設けられているので、図７にて仮想線で示すように、リブ部７の先端面と蓋体４との間に電分岐線Ｗ２が噛み合っているか否かを目視でチェックできるため、分岐電線Ｗ２を確実に蛇行状態に配置できる。
【００２８】
さらに、各リブ部７は、分岐電線収容室６の高さより長く設定され、各リブ部７の先端部が蓋体４の孔１０に挿入されるので、リブ部７の先端面と蓋体４との間に隙間が発生しないため、図９に示すように分岐電線Ｗ２がリブ部７の先端面と蓋体４との間に入り込もうとしても入り込むことができない。つまり、図１０に示すように、第１実施形態のプロテクタ１Ａでは、リブ部７の先端面と蓋体４との間に隙間があるため、リブ部７の先端面と蓋体４との間に分岐電線Ｗ２が噛み合うような不具合が発生するおそれがあるが、第２実施形態のプロテクタ１Ｂでは、リブ部７の先端面と蓋体４との間に分岐電線Ｗ２が噛み合うような不具合が発生しない。また、リブ部７の先端が蓋体４によって保持されるため、リブ部７の強度向上にもなる。これによって、引っ張り力に対する位置ずれをより確実に防止できる。
【００２９】
尚、前記第１及び第２実施形態では、分岐電線収容室６にリブ部７を立設して分岐電線Ｗ２を蛇行状態に配索する場合を示したが、図１及び図５のＣ部にリブ部７を立設してメイン電線Ｗ１を蛇行状態に配索しても良いことは勿論である。
【００３０】
また、前記第１及び第２実施形態のプロテクタ１Ａ，１Ｂでは、分岐電線収容室６が１箇所にのみ設けられているが、複数箇所に設けられているものであっても良いことは勿論である。
【図面の簡単な説明】
【００３１】
【図１】本発明の第１実施形態を示し、蓋体が開位置にある場合のプロテクタの平面図である。
【図２】本発明の第１実施形態を示し、分岐電線を蛇行配索する箇所の要部の斜視図である。
【図３】本発明の第１実施形態を示し、分岐電線に引っ張り力が作用した状態を示す要部の平面図である。
【図４】本発明の第１実施形態を示し、図３中Ａ−Ａ線に沿う断面図である。
【図５】本発明の第２実施形態を示し、蓋体が開位置にある場合のプロテクタの平面図である。
【図６】本発明の第２実施形態を示し、分岐電線を蛇行配索する箇所の要部の斜視図である。
【図７】本発明の第２実施形態を示し、分岐電線を蛇行配索する箇所の平面図である。
【図８】本発明の第２実施形態を示し、図７中Ｂ−Ｂ線に沿う断面図である。
【図９】本発明の第２実施形態を示し、分岐電線がリブ部と蓋体との間に噛み込まないことを説明するための断面図である。
【図１０】第１実施形態では分岐電線がリブ部と蓋体との間に噛み込むことを説明するための断面図である。
【図１１】従来例のプロテクタの要部の断面図である。
【符号の説明】
【００３２】
１Ａ，１Ｂ  プロテクタ
２  プロテクタ本体
２ａ  底壁
２ｂ  側壁
４  蓋体
６  分岐電線収容室（電線収容室）
７  リブ部
１０  孔
Ｗ２  分岐電線（電線）
Ｈ３  リブ部の高さ
Ｈ４  分岐電線収容室の高さ
【図１】
2007174870.tif 000003
【図２】
2007174870.tif 000004
【図３】
2007174870.tif 000005
【図４】
2007174870.tif 000006
【図５】
2007174870.tif 000007
【図６】
2007174870.tif 000008
【図７】
2007174870.tif 000009
【図８】
2007174870.tif 000010
【図９】
2007174870.tif 000011
【図１０】
2007174870.tif 000012
【図１１】
2007174870.tif 000013